(57)【要約】【課題】  コンパクトな構造で、且つ、固定部位の厚さが薄い場合から厚い場合まで適宜調整して安定的に固定することの出来る固定構造を有した小型電子機器を提供する。【解決手段】  物品の縁部分Ｆに固定して使用する小型電子機器１であって、電子部品を内蔵した本体部１１と、この本体部１１の下側左右の各部位に上下方向に伸びる回転軸を中心に回動可能な状態にそれぞれ連結された２つの回動アーム１２，１２と、２つの回動アーム１２，１２を連動させてそれぞれを左右対称に回動させるリンク機構とを備え、２つの回動アーム１２，１２の先端には、摩擦係数が大きく、当該回動アームの先端部分よりも大きな径に形成された球状の摩擦体がそれぞれ設けられている。【選択図】        図１
2007127236.tif 000002
【特許請求の範囲】
【請求項１】
物品の縁部分に固定して使用する小型電子機器であって、
電子部品を内蔵した本体部と、
この本体部の下側左右の各部位に上下方向に伸びる回転軸を中心に回動可能な状態にそれぞれ連結された２つの回動アームと、
前記２つの回動アームを連動させてそれぞれを左右対称に回動させるリンク機構と、
このリンク機構による連動を解除可能なリンク解除機構とを備え、
前記２つの回動アームは、それぞれ上記本体部との連結部分を起点に前記回転軸から離れる方向に伸び、さらにその先が下方に曲がって伸びた形状であり、
これら２つの回動アームの先端に、当該回動アームの部材表面よりも摩擦係数が大きく、当該回動アームの先端部分よりも大きな径に形成された球状の摩擦体がそれぞれ設けられていることを特徴とする小型電子機器。
【請求項２】
物品の縁部分に固定して使用する小型電子機器であって、
電子部品を内蔵した本体部と、
この本体部の下側左右の各部位に上下方向に伸びる回転軸を中心に回動可能な状態にそれぞれ連結された２つの回動アームとを備え、
前記２つの回動アームは、上記本体部との連結部分を起点に前記回転軸から離れる方向に伸び、さらにその先が下方に曲がって伸びた形状であることを特徴とする小型電子機器。
【請求項３】
前記回動アームの下方に伸びた部分の先端には、少なくとも前記回転軸のある側が前記回動アームの部材表面よりも摩擦係数が大きく、当該回動アームの先端部分よりも前記回転軸のある側に張り出して形成された摩擦体が設けられていることを特徴とする請求項２記載の小型電子機器。
【請求項４】
前記摩擦体は、少なくとも前記回転軸のある側が球面形状に形成されていることを特徴とする請求項３記載の小型電子機器。
【請求項５】
前記２つの回動アームを連動させてそれぞれを左右対称に回動させるリンク機構が設けられていることを特徴とする請求項２〜４の何れかに記載の小型電子機器。
【請求項６】
前記リンク機構による前記２つの回動アームの連動を解除可能なリンク解除機構が設けられていることを特徴とする請求項５記載の小型電子機器。
【請求項７】
赤外線信号を受光するとともに、この赤外線信号を電気信号に変換してケーブルを介して外部接続された機器に出力する赤外線受光器であることを特徴とする請求項１〜６の何れかに記載の小型電子機器。
【請求項８】
撮像カメラを備え、該撮像カメラからの撮像信号をケーブルを介して外部接続された機器に出力する撮像装置であることを特徴とする請求項１〜６の何れかに記載の小型電子機器。
【発明の詳細な説明】
【技術分野】
【０００１】
この発明は、リモコン受光器や所謂ＷＥＢカメラなど、例えば、液晶ディスプレーやプラズマディスプレーなどフラット型ディスプレーのフレーム上部等に載置して使用する小型電子機器に関する。
【背景技術】
【０００２】
近年、本発明者らは、映像信号や音声信号をデジタル圧縮して無線伝送するＡＶ（オーディオ・ビジュアル）データの伝送システムの開発を行っている。このようなシステムによれば、例えば録画再生機器とディスプレーとを互いに離れた箇所に設置した状態で、映像データや音声データを無線伝送し、それにより、録画再生機器で再生した映像や音声を離れた箇所のディスプレーにて出力させることが可能となる。
【０００３】
このようなＡＶデータの伝送システムにおいては、ユーザはディスプレーの方を向いた状態で、離れた箇所に設置された録画再生機器のリモコン操作等が出来るように、リモコン受光器をディスプレーの近傍に設置してリモコン信号の受光が可能なように構成されている。そして、このようなリモコン受光器を伝送システムにケーブル接続し、伝送システムを介してリモコン信号を無線により録画再生機器に伝送する。
【０００４】
このようなリモコン受光器は、液晶ディスプレーやプラズマディスプレーなどフラット型ディスプレーのフレーム上部や、ブラウン管受像機など厚みのあるディスプレーのフレーム上部、並びに、ＡＶラックの縁部など、様々な箇所に安定的に設置可能とすることが求められる。
【０００５】
また、所謂ＷＥＢカメラなど、パーソナルコンピュータなどにケーブル接続されて撮像カメラからの撮像信号をケーブル出力する小型の撮像装置においても、ディスプレーの上部に固定して使用されるのが一般的である。
【０００６】
従来、上記のような小型の撮像装置（ビデオカメラ）の固定構造として、例えば、特許文献１〜４に、次のような技術が開示されている。すなわち、ビデオカメラの下側固定部に出し入れ可能なレバー部を設け、薄型のディスプレーに設置する場合にはレバー部を出してクリップ方式によりディスプレーを挟持するように固定する一方、ブラウン管ディスプレーに設置する場合にはレバー部を隠して固定部をディスプレー上に載置するように固定する構造が開示されている。また、特許文献５には、液晶パネルの右側フレームに赤外線受光部を回動可能な状態に設けた技術が開示されている。
【特許文献１】特開２００２−１５８８９７号公報
【特許文献２】特開２００１−００８０５７号公報
【特許文献３】特開２０００−２６１６９５号公報
【特許文献４】特開２０００−１５２０３７号公報
【特許文献５】特開平１１−３０５８９３号公報
【発明の開示】
【発明が解決しようとする課題】
【０００７】
近年、フラット形状のディスプレーであっても、液晶ディスプレー、プラズマディスプレー、リアプロジェクションディスプレーなど、種々の方式によるものがあり、また、その画面サイズも多様であることから、これらディスプレーのフレーム上部の厚みは一定しない。
【０００８】
従って、小型電子機器をディスプレーのフレーム上部に固定する方式として、クリップタイプの方式を適用した場合、様々なフレームの厚みに対応させようとするとクリップの開閉幅を大きくしなければならず、クリップ部分の構造が大きくなってしまうという問題があった。
【０００９】
また、特許文献１〜４に示されるような固定構造では、ＣＲＴディスプレーのようにディスプレー上部の天板がフラットで広い場合や、中程度の画面サイズの液晶ディスプレーなどフレーム上部の厚みがクリップに合った大きさである場合には、安定的にビデオカメラを固定することが出来るが、大画面プラズマディスプレーなどクリップに合わない厚みのフラット形ディスプレーでは重心の位置が合わずにビデオカメラを安定的に固定できないことがあるという問題があった。
【００１０】
この発明は、コンパクトな構造で、固定部位の厚さが薄いものから厚いものまで適宜調整して安定的に固定することの出来る固定構造を有した小型電子機器を提供することにある。
【課題を解決するための手段】
【００１１】
本発明は、上記目的を達成するため、物品の縁部分に固定して使用する小型電子機器であって、電子部品を内蔵した本体部と、この本体部の下側左右の各部位に上下方向に伸びる回転軸を中心に回動可能な状態にそれぞれ連結された２つの回動アームとを備え、前記２つの回動アームは、上記本体部との連結部分を起点に前記回転軸から離れる方向に伸び、さらにその先が下方に曲がって伸びた形状である構成とした。
【００１２】
このような構造によれば、図１に示すように、物品の縁部分に２つの回動アームを脚のようにして腰掛けさせることで、小型電子機器を物品の縁部分に固定することが出来る。また、薄型の液晶ディスプレーのフレーム上部など、奥行きの小さい箇所に固定するときには、２つの回動アームを広げるように回動させて、小型電子機器の重心を本体部近くに寄せるように調整することで、奥行きの小さい箇所でも小型電子機器を安定して固定させることが出来る。また、クリップ式の固定構造で固定部位の様々な厚みに対応させようとすると固定部の構造が大きくなってしまうが、本発明の方式ではコンパクトな構造で固定部位の様々な厚みに対応することが出来る。
【００１３】
望ましくは、前記回動アームの下方に伸びた部分の先端に、少なくとも前記回転軸のある側が前記回動アームの部材表面よりも摩擦係数が大きく、当該回動アームの先端部分よりも前記回転軸のある側に張り出して形成された摩擦体を設けると良い。
このような構成によれば、摩擦体が物品の縁部分に引っかかってより安定的に小型電子機器を固定することが出来る。
【００１４】
さらに望ましくは、前記摩擦体は、少なくとも前記回転軸のある側が球面形状になるように形成すると良い。
このような構成により、物品の縁部分における前記摩擦体が接触する部分がどのような形状でどのような傾斜を有していても、同様の引っかかりを得ることが出来る。
【００１５】
また望ましくは、前記２つの回動アームを連動させてそれぞれを左右対称に回動させるリンク機構を設けると良い。
本発明の固定構造では、通常は、２つの回動アームを左右対称の状態にして使用するため、上記リンク機構により左右対称の状態を保ったまま回動アームの開閉調整を行うことが出来る。
【００１６】
さらに望ましくは、前記リンク機構による前記２つの回動アームの連動を解除可能なリンク解除機構を設けると良い。
本発明の小型電子機器の固定構造においては、図５に示すように、変形例として２つの回動アームを前後に配置させ、２つの回動アームで物品の縁部分を挟み込むようにして固定させることも出来る。従って、上記リンク解除機構により、このようなセッティングを行うことが可能となる。
【００１７】
具体的には、上記の小型電子機器は、赤外線信号を受光するとともに、この赤外線信号を電気信号に変換してケーブルを介して外部接続された機器に出力する赤外線受光器（例えばリモコン受光器）や、撮像カメラを備え、該撮像カメラからの撮像信号をケーブルを介して外部接続された機器に出力する撮像装置（例えば所謂ＷＥＢカメラ）などに適用して有用である。
【発明の効果】
【００１８】
以上説明したように、本発明に従うと、固定機構の構造をコンパクトに出来るとともに、物品縁の固定部位の厚さに応じて２つの回動アームの開閉量を適宜調整して小型電子機器を安定的に固定することが出来るという効果がある。
【発明を実施するための最良の形態】
【００１９】
以下、本発明の実施の形態を図面に基づいて説明する。
図１は、本発明の実施の形態の小型電子機器をフラット型ディスプレーのフレーム上部に固定した状態を示す斜視図、図２は小型電子機器の側面図、図３は小型電子機器において内部のリンク機構を示す一部破断の正面図で、（ａ）は左右の回動アームがリンクされた状態、（ｂ）はリンクを解除した状態である。また、図４は、小型電子機器において回動アームの回動態様を示した平面図である。
【００２０】
この実施の形態の小型電子機器１は、映像信号や音声信号をデジタル圧縮して無線伝送するＡＶ伝送システムのクライアント装置に付属されるリモコン受光器である。ここで、ＡＶ伝送システムとは、例えばビデオレコーダやテレビチューナ装置など映像信号や音声信号を出力する装置と、映像の表示出力や音声出力を行うディスプレー装置などの間に接続され、これらの間で映像信号や音声信号をデジタル圧縮して無線伝送するものであり、ビデオレコーダやテレビチューナ装置など接続されてＡＶデータを無線伝送するサーバ装置と、ディスプレー装置などに接続されてＡＶデータを受信するクライアント装置とから構成されるものである。
【００２１】
この実施の形態のリモコン受光器（小型電子機器１）は、上記クライアント装置にケーブル接続されるとともに、ディスプレー装置の近傍に設置されて使用されるものである。そして、ユーザがリモコンを操作して出力された赤外線信号をディスプレー装置の近傍で受光するとともに、このリモコン信号を電気信号に変換してクライアント装置に送るようになっている。クライアント装置は、このリモコン信号をサーバ装置に無線伝送し、サーバ装置が接続機器にこのリモコン信号を送信することでユーザからの指令が接続機器に伝えられる。
【００２２】
このような使用形態から、この実施の形態の小型電子機器１は、画面サイズが中程度の液晶ディスプレーから大画面サイズのプラズマディスプレーなど、様々な厚みを有するフラット型ディスプレーのフレーム上部や、ＣＲＴディスプレーの上部天板など広い面を有する縁部に安定的に設置可能とすることが求められる。
【００２３】
この実施の形態の小型電子機器１は、図１〜図３に示すように、背部にケーブルＣが伸びる略直方体形状の本体部１１と、２つの回動アーム１２，１２とから主に構成される。本体部１１の前面側には、赤外線を受信する受光部が形成され、その内部には赤外線信号を電気信号に変換してケーブルＣから出力する電子回路が設けられている。また、図３に示すように、本体部１１の内部底面側には、２つの回動アーム１２，１２を連動させて回動させるリンク機構２０や、このリンク機構２０の作用を解除するリンク解除機構３０が設けられている。
【００２４】
回動アーム１２，１２は、本体部１１の下面左右の部位に、ほぼ鉛直方向に伸びる回転軸を中心に回動可能な状態でそれぞれ連結されている。そして、この連結部分から上記回転軸と直交する方向に伸びたアーム部１２ａと、このアーム部１２ａの先端側においてほぼ鉛直下方に伸びた引掛部１２ｂとから構成されている。
【００２５】
回動アーム１２，１２の引掛部１２ｂ，１２ｂの先端には、ほぼ球形状の摩擦体１３，１３がそれぞれ設けられている。この摩擦体１３は、例えば、ゴムやスポンジなどアーム部１２ａや引掛部１２ｂの表面よりも摩擦係数の大きな部材からなり、引掛部１２ｂ，１２ｂの先端において、回動アーム１２，１２の回転軸のある側に張り出すように、引掛部１２ｂの先端部よりも大きな径の球体に形成されている。
【００２６】
上記のリンク機構２０は、回動アーム１２，１２にそれぞれ固着されて当該各回動アーム１２，１２と一体的に回転する回動軸２１，２１および第１ギヤ２２，２２と、これら２個の第１ギヤ２２，２２の間でこれら第１ギヤ２２，２２と噛合して回転する第２ギヤ２３，２４および回転軸２５とから構成される。これら２個の第２ギヤ２３，２４は互いに固着された状態にされる。
【００２７】
リンク解除機構３０は、上記リンク機構２０によるリンクを解除させるために本体部１１の下面に設けられた押しボタン３１と、上記の第２ギヤ２３，２４を回転軸２５に沿って上下移動可能とするスライド機構と、第２ギヤ２３，２４を付勢して通常時に第２ギヤ２３，２４が第１ギヤ２２，２２と噛合する位置に固定されるようにしたバネ３３とから構成される。
【００２８】
上記のようなリンク機構２０とリンク解除機構３０によれば、通常時は図３（ａ）に示すように、ギヤ２２，２３，２４，２２が噛み合った状態にされ、それにより、２個の回動アーム１２，１２は、図４に示すように左右対称に開閉動作を行うようになっている。
【００２９】
一方、押しボタン３１を押すことで、上記リンク機構２０の第２ギヤ２３，２４が移動して、左右の第１ギヤ２２，２２の連結が外れ、左右の回動アーム１２，１２はそれぞれ独立して回動できるようになっている。
【００３０】
上記構成の小型電子機器１によれば、図１に示すように、左右の回動アーム１２，１２を適宜開いて、その先端の引掛部１２ｂ，１２ｂが物品縁部の前面側に垂れ下がり、且つ、摩擦体１３，１３が物品前面部に接触するように載置することで、小型電子機器１をフラット型ディスプレーＦのフレーム上部などに安定的に固定することが出来る。
【００３１】
また、例えば、中サイズの液晶ディスプレーなどフレーム上部の奥行きが小さいものの場合には、回動アーム１２，１２を大きく開くことで小型電子機器１の重心を本体部１１のある側に移動させることができ、このような重心位置の調整により、厚みの薄い固定箇所においても小型電子機器１を安定的に固定することが出来る。
【００３２】
図５には、小型電子機器１の固定方法の変形例を示す。
また、図５に示すように、ユーザの好みにより、左右の回動アーム１２，１２のうち片方をディスプレーＦの後ろ側に、もう片方をディスプレーＦの前側に配置させ、２つの回動アーム１２，１２でディスプレーＦのフレーム上部を前後から挟むようにして固定させることも出来る。このような回動アーム１２，１２の設定は、リンク解除機構３０により左右のリンクを解除させて回動させることで実現することが出来る。
【００３３】
以上のように、上記実施の形態の小型電子機器１によれば、固定箇所の厚みに応じて２つの回動アーム１２，１２を左右対称に回動させて小型電子機器１の重心位置を前後に調整し、それにより小型電子機器１を安定的に固定することが出来るという効果が奏される。また、クリップタイプの固定構造に比べてコンパクトな構造にできるという効果が奏される。
【００３４】
また、回動アーム１２，１２の先端に設けられた摩擦体１３，１３により、回動アーム１２，１２が物品の縁部の前面側に引っかかって、小型電子機器１の安定度をより増すことが出来るし、また、この摩擦体１３，１３の少なくとも回転軸のある側が球面形状であるので、摩擦体が接触する部分がどのような形状でどのような傾斜を有していても、同様の引っかかりを得ることが出来るという効果が奏される。
【００３５】
なお、回動アーム１２の根元部分の下側、すなわち、回動アーム１２が固定箇所と接触する部位に摩擦抵抗の高い部材を貼り付けておくことで、ここでの滑りも減って、小型電子機器１の安定度をより増すことが出来る。
【００３６】
また、上記のリンク機構２０により、左右の回動アーム１２，１２を左右対称の状態を保ったままその開閉量を調整することが出来るし、また、リンク解除機構３０により、ユーザの好みにより、左右の回動アーム１２，１２を別々に動かすことも可能となる。
【００３７】
なお、本発明は、上記実施の形態に限られるものではなく、様々な変更が可能である。例えば、図６に回動アームの摩擦体の変形例を示すように、摩擦体１３Ｂを回動アーム１２の回転軸のある側だけ球面状に張り出した形状に設けても良い。また、回動アーム１２の形状も、アーム部１２ａと引掛部１２ｂとが共に直線的に伸び、それらが互いに直交するように連結された形状のほか、アーム部や引掛部がなだらかにカーブした形状としても良い。その他、本体部１１から伸びるケーブルＣの付根位置は、本体部１１の背面のほか、本体部１１の底面後方としても良いし、リンク機構２０やリンク解除機構３０の構造など、実施の形態で具体的に示した細部構造は発明の趣旨を逸脱しない範囲で適宜変更可能である。
【００３８】
また、上記実施の形態では、小型電子機器としてリモコン受光器を例示して説明したが、その他、所謂ＷＥＢカメラなど、物品の縁部分、特にディスプレーのフレーム上部に固定して使用する種々の小型電子機器に適用することが出来る。
【図面の簡単な説明】
【００３９】
【図１】本発明の実施の形態の小型電子機器をフラット型ディスプレーのフレーム上部に固定した状態を示す斜視図である。
【図２】同、小型電子機器の側面図である。
【図３】同、小型電子機器において内部のリンク機構を示した一部破断の正面図で、（ａ）は左右の回動アームがリンクされた状態、（ｂ）はリンクを解除した状態である。
【図４】同、小型電子機器において回動アームの回動態様を示す平面図である。
【図５】実施の形態の小型電子機器の固定方法の変形例を示す斜視図である。
【図６】回動アームの摩擦体の変形例を示す側面図である。
【符号の説明】
【００４０】
１        小型電子機器
１１      本体部
１２      回動アーム
１２ａ    アーム部
１２ｂ    引掛け部
１３，１３Ｂ    摩擦体
２０      リンク機構
２１      回動軸
２２      第１ギヤ
２３，２４      第２ギヤ
２５      回転軸
３０      リンク解除機構
３１      押しボタン
３３      バネ
Ｃ        ケーブル
【図１】
2007127236.tif 000003
【図２】
2007127236.tif 000004
【図３】
2007127236.tif 000005
【図４】
2007127236.tif 000006
【図５】
2007127236.tif 000007
【図６】
2007127236.tif 000008